(57)【要約】【課題】予備系への切替えを行う際に要する時間を短縮する。【解決手段】予備系１３，１４は、異なる種別の信号を収容可能な予備系ＴＰＮＤ１３１，１３２、および、各種別の信号を収容可能な予備系ＴＰＮＤ１４１を有し、現用系ＴＰＮＤ１１の障害を検出する障害検出部１５１と、障害が検出された場合に、現用系ＴＰＮＤ１１で収容中の信号種別に対応する予備系ＴＰＮＤ１３１（１３２）に対して、信号伝送を可能とする簡易設定を行う第１設定部１５５と、障害が検出された場合に、予備系ＴＰＮＤ１４１に対して、現用系ＴＰＮＤ１１と同等の設定を行う第２設定部１５６と、第１設定部１５５による設定完了後、現用系ＴＰＮＤ１１から予備系ＴＰＮＤ１３１（１３２）へ切替える第１段階切替部１５７と、第２設定部１５６による設定完了後、予備系ＴＰＮＤ１３１（１３２）から予備系ＴＰＮＤ１４１へ切替える第２段階切替部１５８とを備えた。【選択図】図２
2013093764.tif 000002
【特許請求の範囲】
【請求項１】
複数の種別の信号を収容可能な現用系トランスポンダと、前記現用系トランスポンダに障害が発生した場合に系が切替えられる予備系トランスポンダとを備えた光伝送装置において、
前記予備系トランスポンダは、前記各種別のうち各々異なる種別の信号を収容可能な複数の第１予備系トランスポンダ部、および、前記各種別の信号を収容可能な第２予備系トランスポンダ部を有し、
前記現用系トランスポンダに障害が発生したことを検出する障害検出部と、
前記障害検出部により障害発生が検出された場合に、当該障害が発生した現用系トランスポンダで収容中の信号種別に対応する前記第１予備系トランスポンダ部に対して、信号伝送を可能とする簡易設定を行う第１設定部と、
前記障害検出部により障害発生が検出された場合に、前記第２予備系トランスポンダ部に対して、当該障害が発生した現用系トランスポンダと同等の設定を行う第２設定部と、
前記第１設定部による設定完了後に、前記障害が発生した現用系トランスポンダから前記第１予備系トランスポンダ部への切替えを行う第１段階切替部と、
前記第２設定部による設定完了後に、前記第１予備系トランスポンダ部から前記第２予備系トランスポンダ部への切替えを行う第２段階切替部とを備えた
ことを特徴とする光伝送装置。
【請求項２】
複数の種別の信号を収容可能な現用系トランスポンダと、前記現用系トランスポンダに障害が発生した場合に系が切替えられる予備系トランスポンダとを備えた光伝送装置において、
前記予備系トランスポンダは、前記各種別の信号を収容可能であり、各々異なる種別の信号を収容するように初期設定された複数の予備系トランスポンダ部を有し、
前記現用系トランスポンダに障害が発生したことを検出する障害検出部と、
前記障害検出部により障害発生が検出された場合に、当該障害が発生した現用系トランスポンダで収容中の信号種別に対応するように初期設定された前記予備系トランスポンダ部に対して、信号伝送を可能とする簡易設定を行う第１設定部と、
前記障害検出部により障害発生が検出された場合に、前記第１設定部による設定対象の予備系トランスポンダ部以外の所定の予備系トランスポンダ部に対して、当該障害が発生した現用系トランスポンダと同様の設定を行う第２設定部と、
前記第１設定部による設定完了後に、前記障害が発生した現用系トランスポンダから当該第１設定部により設定された予備系トランスポンダ部への切替えを行う第１段階切替部と、
前記第２設定部による設定完了後に、前記第１段階切替部により切替えられた予備系トランスポンダ部から、当該第２設定部により設定された予備系トランスポンダ部への切替えを行う第２段階切替部とを備えた
ことを特徴とする光伝送装置。
【請求項３】
前記現用系トランスポンダおよび前記各予備系トランスポンダ部はそれぞれ、１つの信号を収容可能とする
ことを特徴とする請求項１または請求項２記載の光伝送装置。
【請求項４】
前記現用系トランスポンダおよび前記各予備系トランスポンダ部はそれぞれ、波長の異なる複数の信号を収容可能とする
ことを特徴とする請求項１または請求項２記載の光伝送装置。
【発明の詳細な説明】
【技術分野】
【０００１】
この発明は、現用系（運用系）トランスポンダと予備系（冗長系）トランスポンダとの切替えを行う伝送路切替制御機能を有する光伝送装置に関するものである。
【背景技術】
【０００２】
光ネットワークシステムにおける従来の伝送路切替制御として、例えば特許文献１に開示された技術がある。この特許文献１に開示された光ネットワークシステムでは、Ｎ個の現用系ＴＰＮＤ（トランスポンダ）と、Ｍ個の予備系ＴＰＮＤとを備えている。ＴＰＮＤとは、光ネットワークシステムにおいて、外部クライアント装置からの光信号（以下クライアント信号と称す）の中継を、ＴＰＮＤのクライアントＣＨ（チャネル）に実装されたＩＦモジュール（インタフェースモジュール）を用いて実施する光伝送装置である。
【０００３】
光ネットワークシステムでは、外部クライアント装置から受信したＮ個のクライアント信号を、Ｎ個の現用系信号とＭ個の予備系信号とに分岐する。なお、予備系ＴＰＮＤにはマルチレート対応予備系ＴＰＮＤを用いる。マルチレート対応予備系ＴＰＮＤとは、マルチレート対応ＩＦモジュールが実装された光伝送装置である。このマルチレート対応ＩＦモジュールでは、設定によってＳＴＭ−６４（Ｓｙｎｃｈｒｏｎｏｕｓ  Ｔｒａｎｓｐｏｒｔ  Ｍｏｄｕｌｅ−６４）や１０ＧｂＥ−ＬＡＮ（１０Ｇｉｇａｂｉｔ  Ｅｔｈｅｒｎｅｔ−Ｌｏｃａｌ  Ａｒｅａ  Ｎｅｔｗｏｒｋ／Ｅｔｈｅｒｎｅｔは登録商標）など、様々な信号種別のクライアント信号が収容可能である。
【０００４】
このような光ネットワークシステムにおいて、現用系ＴＰＮＤに障害が無い状態（通常の通信時）では、クライアント信号を、現用系ＴＰＮＤを介して転送する。一方、現用系ＴＰＮＤに障害が発生した場合、まず、監視制御装置が障害を検出する。障害を検出した監視制御装置は、予備系ＴＰＮＤで収容する信号種別を、現用系ＴＰＮＤで収容している信号種別と同一の種別に設定する。設定が完了した後、クライアント信号の収容先を、現用系ＴＰＮＤから予備系ＴＰＮＤへと切替え、転送する。このように、予備系ＴＰＮＤにマルチレート対応予備系ＴＰＮＤを用いることで、単純な構成かつ安価な設備コストで、信頼性の高いクライアント信号の光伝送が実現可能となる。
【先行技術文献】
【特許文献】
【０００５】
【特許文献１】国際公開ＷＯ２０１０／０４４１５４
【発明の概要】
【発明が解決しようとする課題】
【０００６】
しかしながら、特許文献１に開示された従来の技術では、現用系ＴＰＮＤに障害が発生した後、予備系ＴＰＮＤのＩＦモジュールで収容する信号種別を同一種別に設定し、現用系から予備系への切替えが完了するまでの間、クライアント信号の瞬断が発生するという課題がある。この対策として、誤り訂正や光信号の再送により、瞬断の影響を軽減することが可能であるが、切替完了までの時間が増加すると、障害が発生する可能性が高くなると考えられる。
【０００７】
さらに、近年、１つのＴＰＮＤにおいて、複数のＩＦモジュールが実装され、複数のクライアント信号をクライアントＣＨ毎に時分割で送信し、波長単位の伝送速度を向上するＭＰＮＤ（多重ＴＰＮＤ）のような光伝送装置が開発されている。このような高速かつ複雑なＴＰＮＤに対しては、従来のＴＰＮＤより複雑な制御技術が必要となり、その結果、設定に要する時間は増加すると考えられる。また、クライアント信号のロス時間が同一であるとき、伝送速度に比例して、損失する情報量は増加すると考えられる。つまり、近年のＴＰＮＤの高速・複雑化により、上記のような予備系への設定時間が増加し、また、障害によるクライアント信号ロスの可能性や、その影響が大きくなるといった問題が発生する。
【０００８】
この発明は、上記のような課題を解決するためになされたもので、現用系と予備系の切替えを行う際に要する時間が短い伝送路切替制御機能を有する光伝送装置を提供することを目的としている。
【課題を解決するための手段】
【０００９】
この発明に係る光伝送装置は、複数の種別の信号を収容可能な現用系トランスポンダと、現用系トランスポンダに障害が発生した場合に系が切替えられる予備系トランスポンダとを備え、予備系トランスポンダは、各種別のうち各々異なる種別の信号を収容可能な複数の第１予備系トランスポンダ部、および、各種別の信号を収容可能な第２予備系トランスポンダ部を有し、現用系トランスポンダに障害が発生したことを検出する障害検出部と、障害検出部により障害発生が検出された場合に、当該障害が発生した現用系トランスポンダで収容中の信号種別に対応する第１予備系トランスポンダ部に対して、信号伝送を可能とする簡易設定を行う第１設定部と、障害検出部により障害発生が検出された場合に、第２予備系トランスポンダ部に対して、当該障害が発生した現用系トランスポンダと同等の設定を行う第２設定部と、第１設定部による設定完了後に、障害が発生した現用系トランスポンダから第１予備系トランスポンダ部への切替えを行う第１段階切替部と、第２設定部による設定完了後に、第１予備系トランスポンダ部から第２予備系トランスポンダ部への切替えを行う第２段階切替部とを備えたものである。
【００１０】
また、この発明に係る光伝送装置は、複数の種別の信号を収容可能な現用系トランスポンダと、現用系トランスポンダに障害が発生した場合に系が切替えられる予備系トランスポンダとを備え、予備系トランスポンダは、各種別の信号を収容可能であり、各々異なる種別の信号を収容するように初期設定された複数の予備系トランスポンダ部を有し、現用系トランスポンダに障害が発生したことを検出する障害検出部と、障害検出部により障害発生が検出された場合に、当該障害が発生した現用系トランスポンダで収容中の信号種別に対応するように初期設定された予備系トランスポンダ部に対して、信号伝送を可能とする簡易設定を行う第１設定部と、障害検出部により障害発生が検出された場合に、第１設定部による設定対象の予備系トランスポンダ部以外の所定の予備系トランスポンダ部に対して、当該障害が発生した現用系トランスポンダと同様の設定を行う第２設定部と、第１設定部による設定完了後に、障害が発生した現用系トランスポンダから当該第１設定部により設定された予備系トランスポンダ部への切替えを行う第１段階切替部と、第２設定部による設定完了後に、第１段階切替部により切替えられた予備系トランスポンダ部から、当該第２設定部により設定された予備系トランスポンダ部への切替えを行う第２段階切替部とを備えたものである。
【発明の効果】
【００１１】
この発明によれば、上記のように構成したので、既存方式の予備系への切替えよりも短時間での実施が可能となり、外部クライアント装置からの光信号における、情報損失の発生の低減や情報損失量の低減が可能となる。また、現用系と同等の設定が完了した後に第２段階の切替えを実施することで、既存の予備系と同程度の保守効率を実現することができる。
【図面の簡単な説明】
【００１２】
【図１】この発明の実施の形態１に係る光ネットワークシステムの構成例を示す図である。
【図２】この発明の実施の形態１における予備系の構成例を示す図である。
【図３】この発明の実施の形態１における監視制御装置の構成例を示す図である。
【図４】この発明の実施の形態１に係る光ネットワークシステムによる切替可否判断動作を示すフローチャートである。
【図５】この発明の実施の形態１に係る光ネットワークシステムの現用系から予備系への切替えを示すイメージ図である。
【図６】この発明の実施の形態１におけるノード間の動作概要を示すシーケンスである。
【図７】この発明の実施の形態２に係る光ネットワークシステムの構成例を示す図である。
【図８】この発明の実施の形態２における予備系の構成例を示す図である。
【図９】この発明の実施の形態２に係る光ネットワークシステムの現用系から予備系への切替えを示すイメージ図である。
【図１０】この発明の実施の形態２におけるノード間の動作概要を示すシーケンスである。
【図１１】この発明の実施の形態３に係る光ネットワーク装置の構成例を示す図である。
【図１２】この発明の実施の形態３における予備系の構成例を示す図である。
【図１３】この発明の実施の形態３に係る光ネットワークシステムの現用系から予備系への切替えを示すイメージ図である。
【図１４】この発明の実施の形態３におけるノード間の動作概要を示すシーケンスである。
【発明を実施するための形態】
【００１３】
以下、この発明の実施の形態について図面を参照しながら詳細に説明する。なお、以下の実施の形態によってこの発明が限定されるものではない。
実施の形態１．
図１はこの発明の実施の形態１に係る光ネットワークシステムの構成例を示す図である。
光ネットワークシステムは、図１に示すように、送信側の光伝送装置（送信ノード１）および受信側の光伝送装置（受信ノード２）から構成されている。また、送信ノード１は送信側の伝送路切替制御機能を有し、受信ノード２は受信側の伝送路切替制御機能を有している。この送信ノード１および受信ノード２により、外部クライアント装置３−１〜３−ｎと外部クライアント装置４−１〜４−ｎとの通信を中継する。なお以下では、特に区別する必要がない場合には、外部クライアント装置３−１〜３−ｎおよび外部クライアント装置４−１〜４−ｎを、外部クライアント装置３および外部クライアント装置４と称す。
【００１４】
なお図１では、伝送路切替制御に関わる構成要素のみを図示し、光信号の波長多重や波長分離、増幅などの処理を行う部分を省略している。また、説明の便宜上、外部クライアント装置３，４からの光信号は片方向送信のみを図示しているが、１本の伝送路上で双方向受信を実施することが可能である。
【００１５】
送信ノード１は、光カプラ１０−１〜１０−ｎ、現用系ＴＰＮＤ（現用系トランスポンダ）１１−１〜１１−ｎ、ｎ：２光スイッチ部（光ＳＷ）１２、第１予備系１３、第２予備系１４および監視制御装置１５から構成されている。なお以下では、特に区別する必要がない場合には、光カプラ１０−１〜１０−ｎおよび現用系ＴＰＮＤ１１−１〜１１−ｎを、光カプラ１０および現用系ＴＰＮＤ１１と称す。
【００１６】
光カプラ１０は、対応する外部クライアント装置３から受信した光信号を分岐して、対応する現用系ＴＰＮＤ１１、およびｎ：２光スイッチ部１２へ出力するものである。
現用系ＴＰＮＤ１１は、通常の通信時において、対応する現用系ＴＰＮＤ２０へ光信号を送信し、外部クライアント装置３，４間の通信を中継するものである。この現用系ＴＰＮＤ１１は、光信号を収容する１つの信号収容部（１個のＣＨ）を有している。
ｎ：２光スイッチ部１２は、各光カプラ１０からの光信号を１つ選択し、第１予備系１３または第２予備系１４へ出力するものである。
【００１７】
第１予備系１３は、システム内のいずれかの現用系ＴＰＮＤ１１，２０に障害が発生した場合に、第１予備系２１へ光信号を送信し、外部クライアント装置３，４間の通信を中継するものである。この第１予備系１３は、信号伝送を可能とすることを目的とした簡易設定を行って用いられる系である。
第２予備系１４は、システム内のいずれかの現用系ＴＰＮＤ１１，２０に障害が発生した場合に、第２予備系２２へ光信号を送信し、外部クライアント装置３，４間の通信を中継するものである。この第２予備系１４は、現用系ＴＰＮＤ１１と同等の設定を行って用いられる系である。
この予備系１３，１４の詳細な構成例については後述する。
【００１８】
監視制御装置１５は、送信ノード１内の各部の動作を監視制御するものである。この監視制御装置１５の詳細な構成例については後述する。
【００１９】
受信ノード２は、現用系ＴＰＮＤ（現用系トランスポンダ）２０−１〜２０−ｎ、第１予備系２１、第２予備系２２、２：ｎ光スイッチ部（光ＳＷ）２３、２：１光スイッチ部（光ＳＷ）２４−１〜２４−ｎおよび監視制御装置２５から構成されている。なお以下では、特に区別する必要がない場合には、現用系ＴＰＮＤ２０−１〜２０−ｎおよび２：１光スイッチ部２４−１〜２４−ｎを、現用系ＴＰＮＤ２０および２：１光スイッチ部２４と称す。
【００２０】
現用系ＴＰＮＤ２０は、通常の通信時において、対応する現用系ＴＰＮＤ１１から光信号を受信し、外部クライアント装置３，４間の通信を中継するものである。この現用系ＴＰＮＤ２０は、光信号を収容する１つの信号収容部（１個のＣＨ）を有している。
【００２１】
第１予備系２１は、システム内のいずれかの現用系ＴＰＮＤ１１，２０に障害が発生した場合に、第１予備系１３から光信号を受信し、外部クライアント装置３，４間の通信を中継するものである。この第１予備系２１は、信号伝送を可能とすることを目的とした簡易設定を行って用いられる系である。
第２予備系２２は、システム内のいずれかの現用系ＴＰＮＤ１１，２０に障害が発生した場合に、第２予備系１４から光信号を受信し、外部クライアント装置３，４間の通信を中継するものである。この第２予備系２２は、現用系ＴＰＮＤ２０と同等の設定を行って用いられる系である。
この予備系２１，２２の詳細な構成例については後述する。
【００２２】
２：ｎ光スイッチ部２３は、予備系２１，２２からの光信号を所定の光スイッチ部２４へ出力するものである。
光スイッチ部２４は、対応する現用系ＴＰＮＤ２０からの光信号、または、２：ｎ光スイッチ部２３からの光信号を、外部クライアント装置４へ出力するものである。
【００２３】
監視制御装置２５は、受信ノード２内の各部の動作を監視制御するものである。この監視制御装置２５の詳細な構成例については後述する。
【００２４】
次に、予備系１３，１４および予備系２１，２２の構成例について、図２を参照しながら説明する。
第１予備系１３，２１は、現用系ＴＰＮＤ１１，２０で収容可能な信号種別のうち、各々異なる種別の信号を収容可能な複数のＴＰＮＤを備えている。すなわち、第１予備系１３は、ＳＴＭ６４の信号を収容可能な予備系ＴＰＮＤ（第１予備系トランスポンダ部）１３１と、１０ＧｂＥの信号を収容可能な予備系ＴＰＮＤ（第１予備系トランスポンダ部）１３２と、各予備系ＴＰＮＤ１３１，１３２への入力信号を選択する光スイッチ部（光ＳＷ）１３３とを備えている。
また、同様に、第１予備系２１は、ＳＴＭ６４の信号を収容可能な予備系ＴＰＮＤ（第１予備系トランスポンダ部）２１１と、１０ＧｂＥの信号を収容可能な予備系ＴＰＮＤ（第１予備系トランスポンダ部）２１２と、各予備系ＴＰＮＤ２１１，２１２からの出力信号を選択する光スイッチ部（光ＳＷ）２１３とを備えている。
なお、予備系ＴＰＮＤ１３１，１３２および予備系ＴＰＮＤ２１１，２１２はそれぞれ、光信号を収容する１つの信号収容部（１個のＣＨ）を有している。
【００２５】
また、本発明においては、簡単のために、現用系ＴＰＮＤ１１，２０で収容可能な信号種別がＳＴＭ６４および１０ＧｂＥの２種類であるとしているが、信号種別が増加する場合には、さらに第１予備系１３，２１の予備系ＴＰＮＤを追加すればよい。
これにより、第１予備系１３，２１では、現用系からの切替時において、信号種別の設定変更は不要となる。
【００２６】
一方、第２予備系１４，２２は、現用系ＴＰＮＤ１１，２０で収容可能な全ての信号種別を収容可能なＴＰＮＤを備えている。すなわち、第２予備系１４は、マルチレート対応予備系ＴＰＮＤ（第２予備系トランスポンダ部）１４１を備えている。また、同様に、第２予備系２２は、マルチレート対応予備系ＴＰＮＤ（第２予備系トランスポンダ部）２２１を備えている。なお以下では、単に予備系ＴＰＮＤ１４１，２２１と称す。
また、予備系ＴＰＮＤ１４１および予備系ＴＰＮＤ２２１はそれぞれ、光信号を収容する１つの信号収容部（１個のＣＨ）を有している。
この第２予備系１４，２２では、切替時に、障害が発生した現用系ＴＰＮＤ１１，２０で収容中の信号種別に設定変更後、現用系と同様の設定を実施する。
【００２７】
上記のように構成された予備系１３，１４および予備系２１，２２での光信号は、現用系ＴＰＮＤ１１，２０に障害が無い状態では、現用系ＴＰＮＤ１１，２０での光信号と同様に、監視制御装置１５，２５により監視されている。
【００２８】
次に、監視制御装置１５，２５の構成例について、図３を参照しながら説明を行う。
監視制御装置１５は、図３に示すように、データ保持部１５０、障害検出部１５１、利用確認部１５２、使用状況確認部１５３、優先度比較部１５４、第１設定部１５５、第２設定部１５６、第１段階切替部１５７および第２段階切替部１５８を備えている。なお、第１設定部１５５、第２設定部１５６、第１段階切替部１５７および第２段階切替部１５８は、切替制御部１５９を構成する。
【００２９】
データ保持部１５０は、現用系ＴＰＮＤ１１を利用するコネクションに対して、個別に、予備系１３，１４の利用可否および優先度を設定したデータテーブルを保持するものである。
障害検出部１５１は、現用系ＴＰＮＤ１１に障害が発生したことを検出するものである。
【００３０】
利用確認部１５２は、障害検出部１５１により現用系ＴＰＮＤ１１の障害発生が検出された場合に、データ保持部１５０に保持されているデータテーブルを検索して、現用系から予備系への切替えを実施するコネクションであるかを確認するものである。
【００３１】
使用状況確認部１５３は、利用確認部１５２により現用系から予備系への切替えを実施するコネクションであることが確認された場合に、予備系１３，１４の使用状況を確認するものである。
【００３２】
優先度比較部１５４は、使用状況確認部１５３により予備系１３，１４を使用している他のコネクションがあることが確認された場合に、データ保持部１５０に保持されているデータテーブルを検索して、当該他のコネクションと切替判断対象のコネクションとの優先度を比較するものである。
【００３３】
切替制御部１５９は、障害検出部１５１により現用系ＴＰＮＤ１１の障害発生が検出された場合に、利用確認部１５２、使用状況確認部１５３および優先度比較部１５４による確認・比較結果に基づいて、現用系から予備系への切替えを実施するものである。
【００３４】
第１設定部１５５は、現用系から予備系への切替えを実施する場合に、障害が発生した現用系ＴＰＮＤ１１で収容中の信号種別に対応した予備系ＴＰＮＤ（１３１または１３２）に対して、信号伝送を可能とすることを目的とした簡易設定を行うものである。
第２設定部１５６は、現用系から予備系への切替えを実施する場合に、予備系ＴＰＮＤ１４１に対して、障害が発生した現用系ＴＰＮＤ１１と同等の設定を行うものである。
【００３５】
第１段階切替部１５７は、第１設定部１５５による設定が完了した後に、障害が発生した現用系ＴＰＮＤ１１から、第１設定部１５５により設定された予備系ＴＰＮＤ（１３１または１３２）への切替えを行うものである。
第２段階切替部１５８は、第２設定部１５６による設定が完了した後に、第１段階切替部１５７により切替えられた予備系ＴＰＮＤ（１３１または１３２）から、第２設定部１５６により設定された予備系ＴＰＮＤ１４１への切替えを行うものである。
【００３６】
また、図示はしていないが、監視制御装置２５についても同様に、データ保持部２５０、障害検出部２５１、利用確認部２５２、使用状況確認部２５３、優先度比較部２５４、第１設定部２５５、第２設定部２５６、第１段階切替部２５７および第２段階切替部２５８を備えている。なお、第１設定部２５５、第２設定部２５６、第１段階切替部２５７および第２段階切替部２５８は切替制御部２５９を構成する。
なお、監視制御装置２５の各部２５０〜２５９の動作は、監視制御装置１５の各部１５０〜１５９と同様であり、その説明を省略する。
【００３７】
次に、上記のように構成された光ネットワークシステムによる、現用系ＴＰＮＤ１１，２０のいずれかに障害が発生した場合での予備系への切替動作について説明する。
【００３８】
まず、光ネットワークシステムにおいて、現用系ＴＰＮＤ１１，２０のいずれかに障害が発生した場合に、予備系への切替えを実施するかを判断する動作について、図４を参照しながら説明する。なお以下では、監視制御装置１５による切替可否判断動作について説明を行うが、監視制御装置２５についても同様である。
【００３９】
監視制御装置１５による切替可否判断動作では、図４に示すように、まず、障害検出部１５１が、現用系ＴＰＮＤ１１に障害が発生したことを検出すると（ステップＳＴ４０１）、利用確認部１５２は、データ保持部１５０により保持されているデータテーブルを検索して、現用系から予備系への切替えを実施するコネクションであるかを確認する（ステップＳＴ４０２）。
【００４０】
このステップＳＴ４０２において、利用確認部１５２が、予備系への切替えを実施するコネクションであることを確認した場合には、使用状況確認部１５３は、予備系１３，１４が未使用であるかを確認する（ステップＳＴ４０３）。
【００４１】
このステップＳＴ４０３において、使用状況確認部１５３が、予備系１３，１４を使用している他のコネクションがあることを確認した場合には、優先度比較部１５４は、データ保持部１５０により保持されているデータテーブルを検索して、当該他のコネクションより切替判断対象のコネクションの方が優先度が高いかを比較する（ステップＳＴ４０４）。
【００４２】
ここで、ステップＳＴ４０３において、使用状況確認部１５３が、予備系１３，１４が未使用であることを確認した場合、または、ステップＳＴ４０４において、優先度比較部１５４が、切替判断対象のコネクションの方が優先度が高いことを確認した場合には、切替制御部１５９は、現用系から予備系への切替えを実施する（ステップＳＴ４０５）。
【００４３】
一方、ステップＳＴ４０２において、利用確認部１５２が、予備系を利用しないコネクションであることを確認した場合、または、ステップＳＴ４０４において、優先度比較部１５４が、切替判断対象のコネクションの方が優先度が低いことを確認した場合には、切替制御部１５９は、現用系から予備系への切替えを実施しない（ステップＳＴ４０６）。
【００４４】
次に、光ネットワークシステムによる、現用系から予備系への切替動作について、図５のイメージ図を参照しながら説明する。なお図５では、現用系ＴＰＮＤ１１−１に障害が発生した場合の送信ノード１での切替動作について示している。また、現用系ＴＰＮＤ１１−１の信号種別はＳＴＭ６４であるとし、図５に示す黒丸は光信号の収容を行っている信号収容部を表している。
【００４５】
通常の通信時では、図５（ａ）に示すように、現用系ＴＰＮＤ１１−１が通信中継を行っている。そして、現用系ＴＰＮＤ１１−１に障害が発生すると、予備系への切替えが実施される。
【００４６】
この際、図５（ｂ）に示すように、まず、直ちに、ＳＴＭ６４の信号を収容可能な予備系ＴＰＮＤ１３１への切替えが実施される（第１段階切替）。その後、予備系ＴＰＮＤ１４１の設定が完了するまで、予備系ＴＰＮＤ１３１を継続して使用する。
その後、予備系ＴＰＮＤ１４１が切替可能となった時点で、図５（ｃ）に示すように、予備系ＴＰＮＤ１３１から予備系ＴＰＮＤ１４１への切替えを実施する（第２段階切替）。以上により予備系への切替えを完了する。
【００４７】
ここで、第１段階切替で切替えが実施される予備系ＴＰＮＤ１３１，１３２に設定する項目と、第２段階切替で切替えが実施される予備系ＴＰＮＤ１４１に設定する項目との違いについて簡潔に説明する。
通常、光ネットワークシステムでは、システムを利用する外部クライアント装置３，４からの光信号に加えて、オーバヘッド部分を加えて送信することで、保守運用や監視制御の効率化が可能となっている。そして、予備系ＴＰＮＤ１４１では、このオーバヘッド部分について、現用系における設定と完全に同一となるまで設定する。
【００４８】
一方、第１段階切替では、例えば、図１における第１予備系１３と第１予備系２１との間に発生する警報を全て抑止しても、外部クライアント装置３，４からの信号には影響はない。そこで、緊急にクライアント信号のみを復旧することが目的である第１段階切替で切替えが実施される予備系ＴＰＮＤ１３１，１３２に対しては、第１予備系１３と第１予備系２１との間に発生する警報に関する設定を実施しない。
【００４９】
このように、第１段階切替で切替えが実施される予備系ＴＰＮＤ１３１，１３２では、クライアント信号の伝送に必要のない項目の設定を省略し、また、予備系ＴＰＮＤ１３１，１３２として、信号種別に対応したＴＰＮＤ（ＳＴＭ６４や１０ＧｂＥなど）を事前に用意することで、短時間での切替えを実現することが可能になると考えられる。
【００５０】
次に、光ネットワークシステムによる現用系から予備系への切替動作について、図６のシーケンス図を参照しながら説明する。なお図６でも、図５と同様に、ＳＴＭ６４の信号を収容可能な現用系ＴＰＮＤ１１−１に障害が発生した場合について示している。
【００５１】
監視制御装置１５，２５による切替動作では、図６に示すように、まず、監視制御装置１５の障害検出部１５１は、現用系ＴＰＮＤ１１−１の障害発生を検出する（ステップＳＴ６０１）。
次いで、監視制御装置１５の各部１５２〜１５４は、図４に示すフローに従って、予備系への切替えを実施するかを判断する（ステップＳＴ６０２）。以下では、予備系への切替えが可能であった場合について示す。
【００５２】
次いで、監視制御装置１５は、予備系への切替えを実施することを示す切替制御情報を受信ノード２の監視制御装置２５に送信する（ステップＳＴ６０３）。
次いで、監視制御装置２５の各部２５２〜２５４は、受け取った切替制御情報が示す切替えが実施可能であるかを判断する（ステップＳＴ６０４）。以下では、予備系への切替えが可能であった場合について示す。
【００５３】
次いで、監視制御装置２５は、予備系への切替えを実施可能であることを示す切替制御応答を監視制御装置１５に送信する（ステップＳＴ６０５）。そして、それぞれのノード１，２上で、第１設定部１５５，２５５および第２設定部１５６，２５６により、ＳＴＭ６４の信号を収容可能な予備系ＴＰＮＤ１３１，２１１の簡易設定、および予備系ＴＰＮＤ１４１，２２１の設定が実施される。
【００５４】
次いで、予備系ＴＰＮＤ１３１への最低限の簡易設定が完了した後、監視制御装置１５の第１段階切替部１５７は、直ちに、予備系ＴＰＮＤ１３１への切替え（第１段階切替）を実施する（ステップＳＴ６０６）。
次いで、監視制御装置１５は、監視制御装置２５へ第１段階切替の実施要求を送信する（ステップＳＴ６０７）。
【００５５】
次いで、監視制御装置２５の第１段階切替部２５７は、受け取った第１段階切替の実施要求に応じて、直ちに、予備系ＴＰＮＤ２１１への切替えを実施する（ステップＳＴ６０８）。
次いで、監視制御装置２５は、第１段階切替を実施したことを示す切替確認情報を監視制御装置１５へ送信する（ステップＳＴ６０９）。その後、予備系ＴＰＮＤ１４１，２２１への信号種別の変更や他の設定が完了するまで待機する。
【００５６】
次いで、予備系ＴＰＮＤ１４１の信号種別の変更や他の設定が完了した後、監視制御装置１５の第２段階切替部１５８は、予備系ＴＰＮＤ１３１から予備系ＴＰＮＤ１４１への切替え（第２段階切替）を実施する（ステップＳＴ６１０）。
【００５７】
次いで、監視制御装置１５は、監視制御装置２５へ第２段階切替の実施要求を送信する（ステップＳＴ６１１）。
次いで、監視制御装置２５の第２段階切替部２５８は、受け取った第２段階切替の実施要求に応じ、予備系ＴＰＮＤ２２１の信号種別の変更や他の設定が完了した後、予備系ＴＰＮＤ２１１から予備系ＴＰＮＤ２２１への切替えを実施する（ステップＳＴ６１２）。
次いで、監視制御装置２５は、第２段階切替を実施したことを示す切替確認情報を監視制御装置１５へ送信する（ステップＳＴ６１３）。
以上の動作により現用系から予備系への切替えを完了する。
【００５８】
なお、複数障害に対しては、例えば、既存方式と同様に、予備系ＴＰＮＤに切替可能なＴＰＮＤがあるとき、設定が完了した後に切替えを実施することで冗長効率を向上する方式がある。また、２個目以上の障害に対する切替えを実施せずに、予備系ＴＰＮＤは常に高速切替が可能な状態を維持する方式がある。このように、複数障害に対する切替方式は、目的によって多様な形態で実施可能である。
【００５９】
以上のように、この実施の形態１によれば、現用系から予備系への切替えを、クライアント信号伝送に最低限必要な簡易設定のみを行って、高速切替を実施する第１段階切替と、現用系と同等の設定を行って切替を実施する第２段階切替とに分けて行うように構成したので、切替えに要する時間を短縮化することができ、情報損失の発生の低減や情報損失量の低減が可能となる。また、現用系と同等の設定が完了した後に第２段階の切替えを実施することで、既存の予備系と同程度の保守効率を実現することができる。
【００６０】
実施の形態２．
図７はこの発明の実施の形態２に係る光ネットワークシステムの構成例を示す図である。図７に示す実施の形態２に係る光ネットワークシステムは、図１に示す実施の形態１に係る光ネットワークシステムの予備系１３，１４および予備系２１，２２を、１つの予備系１６および予備系２６に変更したものである。その他の構成は同様であり、同一の符号を付してその説明を省略する。
【００６１】
予備系１６は、システム内のいずれかの現用系ＴＰＮＤ１１，２０に障害が発生したときに、予備系２６へ光信号を送信し、外部クライアント装置３，４間の通信を中継するものである。
予備系２６は、システム内のいずれかの現用系ＴＰＮＤ１１，２０に障害が発生したときに、予備系１６から光信号を受信し、外部クライアント装置３，４間の通信を中継するものである。
【００６２】
次に、予備系１６および予備系２６の構成例について、図８を参照しながら説明する。
予備系１６，２６は、現用系ＴＰＮＤ１１で収容可能な全ての信号種別を収容可能であり、各々異なる種別の信号を収容するように初期設定されたＴＰＮＤを複数備えている。すなわち、予備系１６は、マルチレート対応予備系ＴＰＮＤ１６１，１６２と、各マルチレート対応予備系ＴＰＮＤ１６１，１６２への入力信号を選択する光スイッチ部（光ＳＷ）１６３とを備えている。なお以下では、単に予備系ＴＰＮＤ１６１，１６２と称す。この予備系ＴＰＮＤ１６１，１６２はそれぞれ、光信号を収容する１つの信号収容部（１個のＣＨ）を有している。
また、予備系ＴＰＮＤ１６１は事前にＳＴＭ６４の信号を収容するように初期設定され、予備系ＴＰＮＤ１６２は事前に１０ＧｂＥの信号を収容するように初期設定されている。
【００６３】
また、同様に、予備系２６は、マルチレート対応予備系ＴＰＮＤ２６１，２６２と、各マルチレート対応予備系ＴＰＮＤ２６１，２６２からの出力信号を選択する光スイッチ部（光ＳＷ）２６３とを備えている。なお以下では、単に予備系ＴＰＮＤ２６１，２６２と称す。この予備系ＴＰＮＤ２６１，２６２はそれぞれ、光信号を収容する１つの信号収容部（１個のＣＨ）を有している。
また、予備系ＴＰＮＤ２６１は事前にＳＴＭ６４の信号を収容するように初期設定され、予備系ＴＰＮＤ２６２は事前に１０ＧｂＥの信号を収容するように初期設定されている。
【００６４】
なお、監視制御装置１５の第１設定部１５５は、現用系から予備系への切替えを実施する場合に、障害が発生した現用系ＴＰＮＤ１１で収容中の信号種別に対応するように初期設定された予備系ＴＰＮＤ（１６１または１６２）に対して、信号伝送を可能とすることを目的とした簡易設定を行う。
また、第２設定部１５６は、現用系から予備系への切替えを実施する場合に、第１設定部１５５による設定対象の予備系ＴＰＮＤ以外の所定の予備系ＴＰＮＤに対して、現用系ＴＰＮＤ１１と同様の設定を行う。
また、監視制御装置２５の第１設定部２５５および第２設定部２５６についても同様である。
【００６５】
この実施の形態２では、２段階の切替えのうち、第１段階切替は実施の形態１と同様に実施する。すなわち、対応する信号種別に初期設定された予備系ＴＰＮＤ（１６１または１６２）を用いることで、信号種別の変更は不要となる。一方、第２段階切替では、第１段階切替で使用されず、他の信号種別に初期設定された予備系ＴＰＮＤ（１６２または１６１）の設定を変更して使用する。これにより、実施の形態１と比較して、予備系に使用するＴＰＮＤの数を削減することが可能である。
【００６６】
次に、光ネットワークシステムによる現用系から予備系への切替動作について、図９のイメージ図を参照しながら説明する。なお図９では、現用系ＴＰＮＤ１１−１に障害が発生した場合の送信ノード１での切替動作について示している。また、現用系ＴＰＮＤ１１−１の信号種別はＳＴＭ６４であるとし、図９に示す黒丸は光信号の収容を行っている信号収容部を表している。
【００６７】
通常の通信時では、図９（ａ）に示すように、現用系ＴＰＮＤ１１−１が通信中継を行っている。そして、現用系ＴＰＮＤ１１−１に障害が発生すると、予備系への切替えが実施される。
【００６８】
この際、図９（ｂ）に示すように、まず、直ちに、ＳＴＭ６４の信号を収容するように初期設定された予備系ＴＰＮＤ１６１への切替えが実施される（第１段階切替）。また、並行して、予備系ＴＰＮＤ１６２の信号種別の変更および各種設定を実施する。その後、予備系ＴＰＮＤ１６２の設定が完了するまで、予備系ＴＰＮＤ１６１を継続して使用する。
その後、予備系ＴＰＮＤ１６２が切替可能となった時点で、図９（ｃ）に示すように、予備系ＴＰＮＤ１６１から予備系ＴＰＮＤ１６２への切替えを実施する（第２段階切替）。以上により予備系への切替えを完了する。
【００６９】
次に、光ネットワークシステムによる現用系から予備系への切替動作について、図１０のシーケンス図を参照しながら説明する。なお図１０でも、図９と同様に、ＳＴＭ６２の信号を収容可能な現用系ＴＰＮＤ１１−１に障害が発生した場合について示している。
【００７０】
監視制御装置１５，２５による切替動作では、図１０に示すように、まず、監視制御装置１５の障害検出部１５１は、現用系ＴＰＮＤ１１−１の障害発生を検出する（ステップＳＴ１００１）。
次いで、監視制御装置１５の各部１５２〜１５４は、図４に示すフローに従って、予備系への切替えを実施するかの判断する（ステップＳＴ１００２）。以下では、予備系への切替えが可能であった場合について示す。
【００７１】
次いで、監視制御装置１５は、予備系への切替えを実施することを示す切替制御情報を受信ノード２の監視制御装置２５に送信する（ステップＳＴ１００３）。
次いで、監視制御装置２５の各部２５２〜２５４は、受け取った切替制御情報が示す切替えが実施可能であるかを判断する（ステップＳＴ１００４）。以下では、予備系への切替えが可能であった場合について示す。
【００７２】
次いで、監視制御装置２５は、予備系への切替えを実施可能であることを示す切替制御応答を監視制御装置１５に送信する（ステップＳＴ１００５）。そして、それぞれのノード１，２上で、第１設定部１５５，２５５および第２設定部１５６，２５６により、ＳＴＭ６４の信号を収容するように初期設定された予備系ＴＰＮＤ１６１，２６１の簡易設定、およびその他に初期設定された予備系ＴＰＮＤ１６２，２６２の設定が実施される。
【００７３】
次いで、予備系ＴＰＮＤ１６１への最低限の簡易設定が完了した後、監視制御装置１５の第１設定部１５５は、直ちに、予備系ＴＰＮＤ１６１への切替え（第１段階切替）を実施する（ステップＳＴ１００６）。
次いで、監視制御装置１５は、監視制御装置２５へ第１段階切替の実施要求を送信する（ステップＳＴ１００７）。
【００７４】
次いで、監視制御装置２５の第１段階切替部２５７は、受け取った第１段階切替の実施要求に応じて、直ちに、予備系ＴＰＮＤ２６１への切替えを実施する（ステップＳＴ１００８）。
次いで、監視制御装置２５は、第１段階切替を実施したことを示す切替確認情報を監視制御装置１５へ送信する（ステップＳＴ１００９）。その後、予備系ＴＰＮＤ１６２，２６２への信号種別の変更や他の設定が完了するまで待機する。
【００７５】
次いで、予備系ＴＰＮＤ１６２の信号種別の変更や他の設定が完了した後、監視制御装置１５の第２段階切替部１５８は、予備系ＴＰＮＤ１６１から予備系ＴＰＮＤ１６２への切替え（第２段階切替）を実施する（ステップＳＴ１０１０）。
【００７６】
次いで、監視制御装置１５は、監視制御装置２５へ第２段階切替の実施要求を送信する（ステップＳＴ１０１１）。
次いで、監視制御装置２５の第２段階切替部２５８は、受け取った第２段階切替の実施要求に応じ、予備系ＴＰＮＤ２６２の信号種別の変更や他の設定が完了した後、予備系ＴＰＮＤ２６１から予備系ＴＰＮＤ２６２への切替えを実施する（ステップＳＴ１０１２）。
次いで、監視制御装置２５は、第２段階切替を実施したことを示す切替確認情報を監視制御装置１５へ送信する（ステップＳＴ１０１３）。
以上の動作により現用系から予備系への切替えを完了する。
【００７７】
以上のように、この実施の形態２によれば、各種別の信号を収容可能であり、各々異なる種別の信号を収容するように初期設定された複数のマルチレート対応予備系ＴＰＮＤ１６１，１６２，２６１，２６２を設けたので、実施の形態１における効果に加えて、予備系に使用するＴＰＮＤの数を削減することが可能である。
【００７８】
実施の形態３．
図１１はこの発明の実施の形態３に係る光ネットワークシステムの構成例を示す図である。図１１に示す実施の形態３に係る光ネットワークシステムは、図１に示す実施の形態１に係る光ネットワークシステムの現用系ＴＰＮＤ１１および現用系ＴＰＮＤ２０を、現用系ＭＰＮＤ１７および現用系ＭＰＮＤ２７に変更し、予備系１３，１４および予備系２１，２２を、予備系１８，１９および予備系２８，２９に変更したものである。その他の構成は同様であり、同一の符号を付してその説明を省略する。
なお、図１１では、簡単のため現用系ＭＰＮＤを１個のみ備えた場合について示しているが、複数個備えるようにしてもよい。
【００７９】
現用系ＭＰＮＤ１７は、通常の通信時において、現用系ＭＰＮＤ２７へ光信号を送信し、外部クライアント装置３，４間の通信を中継するものである。ここで、ＭＰＮＤ（多重ＴＰＮＤ）とは、複数の外部クライアント装置からの光信号を多重して１つの光信号へと変換する光伝送装置である。すなわち、各々異なる波長の光信号を収容するＮ個の信号収容部（Ｎ個のＣＨ）を有している。
現用系ＭＰＮＤ２７についても、現用系ＭＰＮＤ１７と同様であり、その説明を省略する。
【００８０】
第１予備系１８は、システム内のいずれかの現用系ＭＰＮＤ１７，２７に障害が発生した場合に、第１予備系２８へ光信号を送信し、外部クライアント装置３，４間の通信を中継するものである。この第１予備系１８は、信号伝送を可能とすることを目的とした簡易設定を行って用いられる系である。
第２予備系１９は、システム内のいずれかの現用系ＭＰＮＤ１７，２７に障害が発生した場合に、第２予備系２９へ光信号を送信し、外部クライアント装置３，４間の通信を中継するものである。この第２予備系１９は、現用系ＴＰＮＤ１７と同等の設定を行って用いられる系である。
第１予備系２８および第２予備系２９についても、第１予備系１８および第２予備系２９と同様であり、その説明を省略する。
【００８１】
次に、予備系１８，１９および予備系２８，２９の構成例について、図１２を参照しながら説明する。
第１予備系１８，２８は、現用系ＭＰＮＤ１７，２７で収容可能な信号の種別のうち、各々異なる種別の信号を収容可能であり、全ての信号収容部（全ＣＨ）で同一の信号種別であるＭＰＮＤを備えている。すなわち、第１予備系１８は、ＳＴＭ６４の信号を収容可能な予備系ＭＰＮＤ１８１と、１０ＧｂＥの信号を収容可能な予備系ＭＰＮＤ１８２と、各予備系ＭＰＮＤ１８１，１８２への入力信号を選択する光スイッチ部（光ＳＷ）１８３とを備えている。
また、同様に、第１予備系２８は、ＳＴＭ６４の信号を収容可能な予備系ＭＰＮＤ２８１と、１０ＧｂＥの信号を収容可能な予備系ＭＰＮＤ２８２と、各予備系ＭＰＮＤ２８１，２８２からの出力信号を選択する光スイッチ部（光ＳＷ）２８３とを備えている。
【００８２】
また、本発明においては、簡単のために、現用系ＭＰＮＤ１７，２７で収容可能な信号種別がＳＴＭ６４および１０ＧｂＥの２種類であるとしているが、信号種別が増加する場合には、さらに第１予備系１８，２８の予備系ＭＰＮＤを追加すればよい。
これにより、第１予備系１８，２８では、現用系からの切替時において、信号種別の設定変更は不要となる。
【００８３】
一方、第２予備系１９，２９は、現用系ＭＰＮＤ１７，２７で収容可能な全ての信号種別を収容可能なＭＰＮＤを備えている。すなわち、第２予備系１９は、マルチレート対応予備系ＭＰＮＤ１９１を備えている。また、同様に、第２予備系２９は、マルチレート対応予備系ＭＰＮＤ２９１を備えている。なお以下では、単に予備系ＭＰＮＤ１９１，２９１と称す。
この第２予備系１９，２９では、切替時に、障害が発生した現用系ＭＰＮＤ１７，２７で収容中の信号種別に設定変更後、現用系と同様の設定を実施する。
【００８４】
次に、光ネットワークシステムによる現用系から予備系への切替動作について、図１３のイメージ図を参照しながら説明する。なお図１３では、現用系ＭＰＮＤ１７に障害が発生した場合の送信ノード１での切替動作について示している。また、現用系ＭＰＮＤ１７の信号種別は各ＣＨにおいてＳＴＭ６４や１０ＧｂＥなどであるとし、図１３に示す黒丸は光信号の収容を行っている信号収容部を表している。
【００８５】
通常の通信時では、図１３（ａ）に示すように、現用系ＭＰＮＤ１７が通信中継を行っている。そして、現用系ＭＰＮＤ１７に障害が発生すると、予備系への切替えが実施される。
【００８６】
この際、図１３（ｂ）に示すように、まず、直ちに、現用系ＭＰＮＤ１７の各ＣＨで収容中の信号種別に対応する予備系ＭＰＮＤ１８１，１８２の各ＣＨへの切替えが実施される（第１段階切替）。その後、予備系ＭＰＮＤ１９１の設定が完了するまで、予備系ＭＰＮＤ１８１，１８２を継続して使用する。
その後、予備系ＭＰＮＤ１９１が切替可能となった時点で、図１３（ｃ）に示すように、予備系ＭＰＮＤ１８１，１８２の各ＣＨから予備系ＭＰＮＤ１９１の各ＣＨへの切替えを実施する（第２段階切替）。以上により予備系への切替えを完了する。
【００８７】
次に、光ネットワークシステムによる現用系から予備系への切替動作について、図１４のシーケンス図を参照しながら説明する。なお図１４でも、図１３と同様に、障害の発生した現用系ＭＰＮＤ１７の信号種別が各ＣＨにおいてＳＴＭ６４や１０ＧｂＥなどである場合について示している。
【００８８】
監視制御装置１５，２５による切替動作では、図１４に示すように、まず、監視制御装置１５の障害検出部１５１は、現用系ＭＰＮＤ１７の障害発生を検出する（ステップＳＴ１４０１）。
次いで、監視制御装置１５の各部１５２〜１５４は、図１４に示すフローに従って、予備系への切替えを実施するかの判断する（ステップＳＴ１４０２）。以下では、予備系への切替えが可能であった場合について示す。
【００８９】
次いで、監視制御装置１５は、予備系への切替えを実施することを示す切替制御情報を受信ノード２の監視制御装置２５に送信する（ステップＳＴ１４０３）。
次いで、監視制御装置２５の各部２５２〜２５４は、受け取った切替制御情報が示す切替えが実施可能であるかを判断する（ステップＳＴ１４０４）。以下では、予備系への切替えが可能であった場合について示す。
【００９０】
次いで、監視制御装置２５は、予備系への切替えを実施可能であることを示す切替制御応答を監視制御装置１５に送信する（ステップＳＴ１４０５）。そして、それぞれのノード１，２上で、第１設定部１５５，２５５および第２設定部１５６，２５６により、現用系ＭＰＮＤ１７の各ＣＨで収容中の信号種別に対応する予備系ＭＰＮＤ１８１，１８２，２８１，２８２の簡易設定、および予備系ＭＰＮＤ１９１，２９１の設定が実施される。
【００９１】
次いで、予備系ＭＰＮＤ１８１，１８２への最低限の簡易な設定が完了した後、監視制御装置１５の第１段階切替部１５７は、直ちに、予備系ＭＰＮＤ１８１，１８２の各ＣＨへの切替え（第１段階切替）を実施する（ステップＳＴ１４０６）。
次いで、監視制御装置１５は、監視制御装置２５へ第１段階切替の実施要求を送信する（ステップＳＴ１４０７）。
【００９２】
次いで、監視制御装置２５の第１段階切替部２５７は、受け取った第１段階切替の実施要求に応じて、直ちに、予備系ＭＰＮＤ２８１，２８２の各ＣＨへの切替えを実施する（ステップＳＴ１４０８）。
次いで、監視制御装置２５は、第１段階切替を実施したことを示す切替確認情報を監視制御装置１５へ送信する（ステップＳＴ１４０９）。その後、予備系ＭＰＮＤ１９１，２９１への信号種別の変更や他の設定が完了するまで待機する。
【００９３】
次いで、予備系ＭＰＮＤ１９１の信号種別の変更や他の設定が完了した後、監視制御装置１５の第２段階切替部１５８は、予備系ＭＰＮＤ１８１，１８２の各ＣＨから予備系ＭＰＮＤ１９１の各ＣＨへの切替え（第２段階切替）を実施する（ステップＳＴ１４１０）。
【００９４】
次いで、監視制御装置１５は、監視制御装置２５へ第２段階切替の実施要求を送信する（ステップＳＴ１４１１）。
次いで、監視制御装置２５の第２段階切替部１５８は、受け取った第２段階切替の実施要求に応じ、予備系ＭＰＮＤ２９１の信号種別の変更や他の設定が完了した後、予備系ＭＰＮＤ２９１の各ＣＨへの切替えを実施する（ステップＳＴ１４１２）。
次いで、監視制御装置２５は、第２段階切替を実施したことを示す切替確認情報を監視制御装置１５へ送信する（ステップＳＴ１４１３）。
以上の動作により現用系から予備系への切替えを完了する。
【００９５】
以上のように、この実施の形態３によれば、ＴＰＮＤに代えてＭＰＮＤを備えた光伝送装置に対しても、予備系への切替えを２段階に分けて行うことで、実施の形態１と同様の効果を得ることができる。
なお、上記実施の形態３では、予備系を、第１段階切替で用いられる第１予備系１８，２８と、第２段階切替で用いられる第２予備系１９，２９とに分けて構成したが、実施の形態２のように１つの予備系としてもよい。
【００９６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００９７】
１  送信ノード（光伝送装置）、２  受信ノード（光伝送装置）、３，３−１〜３−ｎ，４，４−１〜４−ｎ  外部クライアント装置、１０，１０−１〜１０−ｎ  光カプラ、１１，１１−１〜１１−ｎ，２０，２０−１〜２０−ｎ  現用系ＴＰＮＤ、１２  ｎ：２光スイッチ部、１３，２１  第１予備系、１４，２２  第２予備系、１５，２５  監視制御装置、１６，２６  予備系、１７，２７  現用系ＭＰＮＤ、１８，２８  第１予備系、１９，２９  第２予備系、２３  ２：ｎ光スイッチ部、２４，２４−１〜２４−ｎ  ２：１光スイッチ部、１３１，１３２，２１１，２１２  予備系ＴＰＮＤ、１３３，２１３  光スイッチ部、１４１，２２１  マルチレート対応予備系ＴＰＮＤ、１５０，２５０  データ保持部、１５１，２５１  障害検出部、１５２，２５２  利用確認部、１５３，２５３  使用状況確認部、１５４，２５４  優先度比較部、１５５，２５５  第１設定部、１５６，２５６  第２設定部、１５７，２５７  第１段階切替部、１５８，２５８  第２段階切替部、１５９，２５９  切替制御部、１６１，１６２，２６１，２６２  マルチレート対応予備系ＴＰＮＤ、１６３，２６３  光スイッチ部、１８１，１８２，２８１，２８２  予備系ＭＰＮＤ、１８３，２８３  光スイッチ部、１９１，２９１  マルチレート対応予備系ＭＰＮＤ。
【図１】
2013093764.tif 000003
【図２】
2013093764.tif 000004
【図３】
2013093764.tif 000005
【図４】
2013093764.tif 000006
【図５】
2013093764.tif 000007
【図６】
2013093764.tif 000008
【図７】
2013093764.tif 000009
【図８】
2013093764.tif 000010
【図９】
2013093764.tif 000011
【図１０】
2013093764.tif 000012
【図１１】
2013093764.tif 000013
【図１２】
2013093764.tif 000014
【図１３】
2013093764.tif 000015
【図１４】
2013093764.tif 000016